(57)【要約】【課題】１つの結果画像を形成するために重ね合わせる複数の単位画像のそれぞれを、同一の走査手段により記録媒体上に記録する際に走査ユニットに存在する画像欠陥が結果画像において重畳されないようにする。【解決手段】１つの結果画像を形成するために重ね合わせる複数の単位画像のそれぞれを、同一の走査手段により記録媒体に対して個別に記録する画像記録装置であって、前記走査手段は、前記保持手段の基準位置からそれぞれ異なる位置の記録媒体に対して、前記複数の単位画像を記録する。【選択図】図１０
2006276805.tif 000002
【特許請求の範囲】
【請求項１】
１つの結果画像を形成するために重ね合わせる複数の単位画像のそれぞれを、同一の走査手段により記録媒体に対して個別に記録する画像記録装置であって、
前記記録媒体を保持する保持手段を有し、
前記走査手段は、前記複数の単位画像のうちの少なくとも１つの単位画像を、前記保持手段の基準位置に対して、他の単位画像と異なる位置に記録することを特徴とする画像記録装置。
【請求項２】
前記走査手段は、前記保持手段の基準位置からそれぞれ異なる位置の記録媒体に対して、前記複数の単位画像を記録することを特徴とする請求項１記載の画像記録装置。
【請求項３】
前記走査手段は、
前記記録媒体を主走査方向に走査する光ビームを照射する走査ユニットと、
前記走査ユニットによって形成される走査線と直交する方向に、前記記録媒体を前記走査ユニットに対して相対的に移動させる移動手段と、
を含み、
前記走査線の開始位置を前記複数の単位画像毎に異ならせることによって、前記保持手段の基準位置からそれぞれ異なる位置の記録媒体上に、前記複数の単位画像を記録することを特徴とする請求項２記載の画像記録装置。
【請求項４】
前記複数の単位画像を重ね合わす際の基準として使用される指標を前記記録媒体に形成する指標形成手段をさらに有し、
前記指標形成手段は前記走査線の開始位置のずらし量だけ位置を異ならせて、前記単位画像毎に、前記記録媒体に指標を形成することを特徴とする請求項３記載の画像記録装置。
【請求項５】
前記指標は前記記録媒体に形成されるパンチ孔であり、当該パンチ孔を形成するパンチ孔形成手段は、前記単位画像毎に、前記走査線の開始位置のずらし量だけ前記記録媒体に対する相対的位置関係を変更して、前記記録媒体にパンチ孔を形成することを特徴とする請求項４記載の画像記録装置。
【請求項６】
前記保持手段は前記記録媒体を固定するテーブルであり、前記記録媒体の基準端面を押圧して前記記録媒体を前記テーブルに沿って移動させることで、前記記録媒体を前記テーブル上で位置決めする位置決め手段を有し、
前記位置決め手段は、前記走査線の開始位置のずらし量だけ異ならせて、前記記録媒体を、単位画像毎に位置決めすることを特徴とする請求項３記載の画像記録装置。
【請求項７】
１つの結果画像を形成するために重ね合わせる複数の単位画像のそれぞれを、同一の光走査手段により記録媒体に対して個別に記録する画像記録装置であって、
前記複数の単位画像のうちの少なくとも１つの単位画像を、前記光走査手段が有する光学系の光軸に対して、他の単位画像と異なる位置に記録することを特徴とする画像記録装置。
【請求項８】
前記複数の単位画像を、前記光学系の光軸に対して、それぞれ異なる位置に記録することを特徴とする請求項７記載の画像記録装置。
【請求項９】
前記光走査手段は、
所定の主走査方向に走査する光ビームを照射することにより、前記記録媒体上に走査線を形成する走査ユニットと、
前記主走査方向と直交する副走査方向に、前記記録媒体を前記走査ユニットに対して相対的に移動させる移動手段と、
を含み、
前記異なる位置とは、前記主走査方向の異なる位置であることを特徴とする請求項８記載の画像記録装置。
【請求項１０】
前記走査線の開始位置を前記複数の単位画像毎に異ならせることによって、前記複数の単位画像を、前記光学系の光軸に対してそれぞれ異なる位置に記録することを特徴とする請求項９記載の画像記録装置。
【請求項１１】
前記複数の単位画像を重ね合わす際の基準として使用される指標を前記記録媒体に形成する指標形成手段をさらに有し、
前記指標形成手段は前記走査線の開始位置のずらし量だけ位置を異ならせて、前記単位画像毎に、前記記録媒体に指標を形成することを特徴とする請求項１０記載の画像記録装置。
【請求項１２】
前記指標は前記記録媒体に形成されるパンチ孔であり、当該パンチ孔を形成するパンチ孔形成手段は、前記単位画像毎に、前記走査線の開始位置のずらし量だけ前記記録媒体に対する相対的位置関係を変更して、前記記録媒体にパンチ孔を形成することを特徴とする請求項１１記載の画像記録装置。
【請求項１３】
前記記録媒体を保持する保持手段をさらに有し、
前記保持手段は、前記各記録媒体を、前記走査線の開始位置のずらし量だけ異なる位置に位置決めして保持することを特徴とする請求項１０記載の画像記録装置。
【請求項１４】
１つの結果画像を形成するために重ね合わせる複数の単位画像を、個別に記録する画像記録装置であって、
前記複数の単位画像のそれぞれを第１の画像と第２の画像とに分割する分割手段と、
前記第１の画像を記録する第１の記録手段と、
前記第２の画像を記録する第２の記録手段と、
を備え、
前記分割手段は、前記複数の単位画像のうちの少なくとも１つの単位画像を、他の単位画像と異なる位置で分割することを特徴とする画像記録装置。
【請求項１５】
前記分割手段は、前記複数の単位画像を、それぞれ異なる位置で分割することを特徴とする請求項１４記載の画像記録装置。
【請求項１６】
前記第１の記録手段および前記第２の記録手段は、前記複数の単位画像のそれぞれを、記録媒体上の異なる位置に記録することを特徴とする請求項１５記載の画像記録装置。
【発明の詳細な説明】
【技術分野】
【０００１】
本発明は、１つの結果画像を形成するために重ね合わせる複数の単位画像のそれぞれを、同一の走査手段により記録媒体上に記録する画像記録装置に関する。
【背景技術】
【０００２】
印刷工程においては、複数の単位画像、例えば複数色の単色画像を重ね合わせて１つの結果画像を形成する場合がある。このような印刷工程において用いられる装置として、例えば、複数の単位画像のそれぞれに対応する印刷版を作成する画像記録装置を挙げることができる。
【０００３】
従来の画像記録装置では、ポリゴンミラー等の偏向手段によりレーザビーム等の光ビームを主走査方向に移動させると共に、印刷版を主走査方向に直交する副走査方向に相対移動させることにより印刷版上に２次元画像（単位画像）を形成する。そして、この２次元画像を印刷物を構成する色数分作成し、周知の印刷機において印刷用紙等上に刷り重ねるとカラー画像（結果画像）が形成される。
【０００４】
このような従来の画像記録装置については、たとえば特許文献１に開示されている。
【０００５】
【特許文献１】特開平１１−３８６３７号公報
【発明の開示】
【発明が解決しようとする課題】
【０００６】
図１６は、従来の画像記録装置５００の構成を概念的に示した図である。図１６に示したように、光源５１０から出射された光ビーム５５０は、偏向手段５２０により主走査方向に偏向される。そして、偏向後の光ビーム５５０は結像光学系５３０を経て印刷版５４０の記録面に結像し、画像が記録される。
【０００７】
しかしながら、結像光学系５３０を構成する光学部材の一部に傷やミャクリ（局所的に屈折率の異なる部分）等の欠陥箇所５３１が存在した場合、光ビーム５５０は、欠陥箇所５３１を通過するときには光強度が減衰する。このため、印刷版５４０においては、各主走査線５６０の記録濃度が部分的に低下し、全体として記録後の画像に薄いすじ５７０が発生することとなる。
【０００８】
このような画像記録装置５００において複数の印刷版を作成したときには、各印刷版に記録された画像には、同一位置にすじ５７０が発生する。たとえば、１つのカラー画像を形成するために、Ｙ（イエロー）版、Ｍ（マゼンタ）版、Ｃ（シアン）版、Ｋ（ブラック）版を作成したときには、図１７に示したように、各印刷版に記録された画像には、同一位置にすじｙ、ｍ、ｃ、ｋが発生する。そして、これらの画像を１つの印刷用紙Ｓに刷り重ねると、すじｙ、ｍ、ｃ、ｋが重畳されて強調され、印刷用紙Ｓ上の画像には視覚的に目立つすじＸが発生してしまう。
【０００９】
本発明は、このような事情に鑑みなされたものであり、画像記録装置の結像光学系に傷などの欠陥箇所が存在した場合にも、記録画像を重ね合わせた結果画像の中ではすじ等の画像欠陥の重畳を回避できる技術を提供することを目的とする。
【課題を解決するための手段】
【００１０】
請求項１に記載の発明は、１つの結果画像を形成するために重ね合わせる複数の単位画像のそれぞれを、同一の走査手段により記録媒体に対して個別に記録する画像記録装置であって、前記記録媒体を保持する保持手段を有し、前記走査手段は、前記複数の単位画像のうちの少なくとも１つの単位画像を、前記保持手段の基準位置に対して、他の単位画像と異なる位置に記録することを特徴とする。
【００１１】
請求項２に記載の発明は、請求項１記載の発明において、前記走査手段は、前記保持手段の基準位置からそれぞれ異なる位置の記録媒体に対して、前記複数の単位画像を記録することを特徴とする。
【００１２】
請求項３に記載の発明は、請求項２記載の発明において、前記走査手段は、前記記録媒体を主走査方向に走査する光ビームを照射する走査ユニットと、前記走査ユニットによって形成される走査線と直交する方向に、前記記録媒体を前記走査ユニットに対して相対的に移動させる移動手段と、を含み、前記走査線の開始位置を前記複数の単位画像毎に異ならせることによって、前記保持手段の基準位置からそれぞれ異なる位置の記録媒体上に、前記複数の単位画像を記録することを特徴とする。
【００１３】
請求項４に記載の発明は、請求項３に記載の発明において、前記複数の単位画像を重ね合わす際の基準として使用される指標を前記記録媒体に形成する指標形成手段をさらに有し、前記指標形成手段は前記走査線の開始位置のずらし量だけ位置を異ならせて、前記単位画像毎に、前記記録媒体に指標を形成することを特徴とする。
【００１４】
請求項５に記載の発明は、請求項４記載の発明において、前記指標は前記記録媒体に形成されるパンチ孔であり、当該パンチ孔を形成するパンチ孔形成手段は、前記単位画像毎に、前記走査線の開始位置のずらし量だけ前記記録媒体に対する相対的位置関係を変更して、前記記録媒体にパンチ孔を形成することを特徴とする。
【００１５】
請求項６に記載の発明は、前記保持手段は前記記録媒体を固定するテーブルであり、前記記録媒体の基準端面を押圧して前記記録媒体を前記テーブルに沿って移動させることで、前記記録媒体を前記テーブル上で位置決めする位置決め手段を有し、前記位置決め手段は、前記走査線の開始位置のずらし量だけ異ならせて、前記記録媒体を、単位画像毎に位置決めすることを特徴とする。
【００１６】
請求項７に記載の発明は、１つの結果画像を形成するために重ね合わせる複数の単位画像のそれぞれを、同一の光走査手段により記録媒体に対して個別に記録する画像記録装置であって、前記複数の単位画像のうちの少なくとも１つの単位画像を、前記光走査手段が有する光学系の光軸に対して、他の単位画像と異なる位置に記録することを特徴とする。
【００１７】
請求項８に記載の発明は、請求項７記載の発明において、前記複数の単位画像を、前記光学系の光軸に対して、それぞれ異なる位置に記録することを特徴とする。
【００１８】
請求項９に記載の発明は、請求項８記載の発明において、前記光走査手段は、所定の主走査方向に走査する光ビームを照射することにより、前記記録媒体上に走査線を形成する走査ユニットと、前記主走査方向と直交する副走査方向に、前記記録媒体を前記走査ユニットに対して相対的に移動させる移動手段と、を含み、前記異なる位置とは、前記主走査方向の異なる位置であることを特徴とする。
【００１９】
請求項１０に記載の発明は、請求項９記載の発明において、前記走査線の開始位置を前記複数の単位画像毎に異ならせることによって、前記複数の単位画像を、前記光学系の光軸に対してそれぞれ異なる位置に記録することを特徴とする。
【００２０】
請求項１１に記載の発明は、請求項１０記載の発明において、前記複数の単位画像を重ね合わす際の基準として使用される指標を前記記録媒体に形成する指標形成手段をさらに有し、前記指標形成手段は前記走査線の開始位置のずらし量だけ位置を異ならせて、前記単位画像毎に、前記記録媒体に指標を形成することを特徴とする。
【００２１】
請求項１２に記載の発明は、請求項１１記載の発明において、前記指標は前記記録媒体に形成されるパンチ孔であり、当該パンチ孔を形成するパンチ孔形成手段は、前記単位画像毎に、前記走査線の開始位置のずらし量だけ前記記録媒体に対する相対的位置関係を変更して、前記記録媒体にパンチ孔を形成することを特徴とする。
【００２２】
請求項１３に記載の発明は、請求項１２記載の発明において、前記記録媒体を保持する保持手段をさらに有し、前記保持手段は、前記各記録媒体を、前記走査線の開始位置のずらし量だけ異なる位置に位置決めして保持することを特徴とする。
【００２３】
請求項１４に記載の発明は、１つの結果画像を形成するために重ね合わせる複数の単位画像を、個別に記録する画像記録装置であって、前記複数の単位画像のそれぞれを第１の画像と第２の画像とに分割する分割手段と、前記第１の画像を記録する第１の記録手段と、前記第２の画像を記録する第２の記録手段と、を備え、前記分割手段は、前記複数の単位画像のうちの少なくとも１つの単位画像を、他の単位画像と異なる位置で分割することを特徴とする。
【００２４】
請求項１５に記載の発明は、請求項１４記載の発明において、前記分割手段は、前記複数の単位画像を、それぞれ異なる位置で分割することを特徴とする。
【００２５】
請求項１６に記載の発明は、請求項１５記載の発明において、前記第１の記録手段および前記第２の記録手段は、前記複数の単位画像のそれぞれを、記録媒体上の異なる位置に記録することを特徴とする。
【発明の効果】
【００２６】
請求項１から請求項１３までに記載の発明によれば、走査手段に欠陥があっても、少なくとも１つの単位画像においては、他の単位画像と異なる位置にすじ等の画像欠陥を形成することができる。このため、結果画像における画像欠陥の重畳を少なくとも部分的に回避することができる。
【００２７】
特に、請求項２または請求項８に記載の発明によれば、すじ等の画像欠陥を、複数の単位画像のそれぞれ異なる位置に発生させることができる。このため、結果画像における画像欠陥の重畳を回避することができる。
【００２８】
特に、請求項４または請求項１１に記載の発明によれば、各単位画像と指標との位置関係を、全ての単位画像において同一とすることができる。このため、ずれを生じることなく複数の単位画像を重ね合わせることができる。
【００２９】
特に、請求項６または請求項１３に記載の発明によれば、記録媒体に対する単位画像の位置は、いずれの記録媒体においても同一とすることができる。このため、ずれを生じることなく複数の単位画像を重ね合わせることができる。
【００３０】
また、請求項１４から請求項１６に記載の発明によれば、第１の画像と第２の画像とに分割して記録するため、全体として大型の結果画像を形成することができる。また、第１の画像と第２の画像との境界にすじが発生する場合にも、少なくとも１つの単位画像は、他の単位画像とすじの位置が相違する。このため、結果画像における画像欠陥の重畳を軽減することができる。
【００３１】
特に、請求項１５に記載の発明によれば、複数の単位画像のそれぞれにおいて、すじの位置を相違させることができる。このため、結果画像における画像欠陥の重畳を回避することができる。
【００３２】
特に、請求項１６に記載の発明によれば、光学系の欠陥に基づく画像欠陥の重畳も回避することができる。
【発明を実施するための最良の形態】
【００３３】
以下、図面を参照しつつ本発明の実施形態について説明する。
【００３４】
＜１．第１実施形態＞
＜１−１．第１実施形態の装置構成＞
図１は第１実施形態に係る画像記録装置１の模式図である。
【００３５】
この画像記録装置１は、印刷用の感光性記録媒体である印刷版Ｐを光ビームで走査しつつ印刷版Ｐの各部を選択的に露光することにより、印刷画像に対応した空間サイズを持つ網点画像を記録する装置である。
【００３６】
この画像記録装置１は、主に、未露光の印刷版Ｐを載置するテーブル（保持手段）１２と、位置決めユニット２２およびパンチユニット３３を有する位置決め・穿孔ユニット２０と、この位置決め・穿孔ユニット２０を主走査方向（図中ｙ方向）に移動させる位置決め駆動手段４１と、印刷版Ｐに対して主走査方向に光ビームを走査する主走査ユニット５０と、テーブル１２を前記主走査方向に直交する副走査方向に移動させるテーブル駆動手段１３とを備えている。
【００３７】
主走査ユニット５０は、画像信号に応じて光ビームを照射するレーザダイオードＬＤと、レーザダイオードＬＤから発せられた光ビームを偏向させるポリゴンミラー（偏向器）５１と、偏向された光ビームを印刷版Ｐ上に結像させる光学系５２とを有している。
【００３８】
ポリゴンミラー５１は、軸周りに回転可能に構成された多角柱体であり、その各側面が光ビームを反射する反射面となっている。ポリゴンミラー５１は、反射面により光ビームを反射しつつ回転することによって、光ビームを偏向させる偏向手段として機能する。
【００３９】
また、光学系５２は、偏向する光ビームの等角速度運動を等速度運動に変換するためのｆθレンズや、ポリゴンミラー５１の各反射面における法線方向のばらつきを補正するためのシリンドリカルレンズなどを組み合わせて構成される。なお、レーザダイオードＬＤとポリゴンミラー５１との間には、コリメータレンズやシリンドリカルレンズ等からなる他の光学系が配置されていてもよい。
【００４０】
レーザダイオードＬＤから出射された光ビームは、ポリゴンミラー５１の反射面で反射し、光学系５２を通過して印刷版Ｐの記録面に結像する。そして、その結像位置がポリゴンミラー５１の回転により主走査方向に移動し、１つの走査線Ｌが記録される。主走査ユニット５０により光ビームが走査しうる最大走査範囲をイメージエリア（有効画像エリア）Ａという。走査線Ｌの長さは、記録しようとする画像のサイズにより規定されるが、その長さはイメージエリアＡの長さが上限となる。
【００４１】
また、主走査ユニット５０は、上記各要素のほかに、イメージエリアＡの原点を検出するための原点センサ５３を有している。原点センサ５３は、光ビームを受光すると所定の電気信号（スタートパルス）を発信する光センサである。ポリゴンミラー５１によって偏向された光ビームは、この原点センサ５３へも入射し、それにより原点センサ５３が発信するスタートパルスを基準として、レーザダイオードＬＤが駆動制御され、主走査線Ｌの記録が行われる。
【００４２】
図２は、レーザダイオードＬＤの駆動制御系の構成を示したブロック図である。主走査ユニット５０に与えられた画像信号９１は、画像信号遅延回路６１において所定時間遅延された後にＬＤ駆動回路６２へ送られ、ＬＤ駆動回路６２において駆動信号９２に変換される。そして、ＬＤ駆動回路６２から送信された駆動信号９２により、レーザダイオードＬＤがＯＮ／ＯＦＦ制御される。
【００４３】
一方、同期信号発生回路６３は、原点センサ５３から受信したスタートパルス９３に基づいてタイミング信号９４を発生させ、画像信号遅延回路６１へ与える。また、画像信号９１の遅延量９６も、画像信号遅延回路６１へ与えられる。画像信号遅延回路６１においては、このタイミング信号９４と遅延量９６とを受信し、タイミング信号９４の受信時から遅延量９６の分だけ画像信号９１を遅延させる。
【００４４】
この画像記録装置１では、記録対象とする画像の色情報に基づいて、上記の遅延量９６を演算するような構成としている。したがって、図３のタイミング図に示すように、カラー画像を構成する各色の画像について、画像信号９１の遅延量９６に差をつけることができる。このため、レーザダイオードＬＤの駆動タイミングは画像ごとに異なり、印刷版Ｐに記録される走査線Ｌの位置が画像ごとに異なるものとなる。
【００４５】
なお、画像信号遅延回路６１は、たとえば画像信号を一時的にメモリに記憶させ、遅延量９６に応じてその読み出しのタイミングを制御するような構成とすることができる。あるいは、画像信号９１をシフトレジスタに一時的に記憶させ、遅延量９６をシフト量に換算して画像信号９１のデータをシフトさせるような構成にしてもよい。
【００４６】
図１に戻り、続いて位置決め・穿孔ユニット２０の構成について説明する。位置決め・穿孔ユニット２０は、印刷版Ｐの主走査方向の位置決めを行うとともに印刷版Ｐの基準端面ｚ側にパンチ孔を穿孔するためのユニットである。位置決め・穿孔ユニット２０は、取付ベース４０に２個のパンチユニット３３と３個の位置決めユニット２２とを配置した構成である。位置決め・穿孔ユニット２０は、位置決め駆動手段４１によってテーブル１２に対してユニット前進方向ｙおよびその反対方向−ｙに移動する。
【００４７】
位置決めユニット２２は、印刷版Ｐをテーブル１２上面に沿って移動させることにより、主走査方向の位置決めを行う部材である。パンチユニット３３は、テーブル１２上に位置決めされた印刷版Ｐの一端にパンチ孔を形成するユニットである。
【００４８】
印刷版Ｐは、最初、その基準端面ｚがテーブル１２の一端から十分に突出した状態で載置される（図中鎖線で示す状態）。位置決め・穿孔ユニット２０の位置決めユニット２２は、この印刷版Ｐの基準端面ｚを位置決め板２７に当接させ、この状態で、図中ｙ方向に向けて移動して印刷版Ｐを押し込むことにより、印刷版Ｐの主走査位置決めを行う。
【００４９】
後に詳述するように、位置決め・穿孔ユニット２０は、送りモータによりｙ方向に移動させることができる。したがって、送りモータの駆動を制御することによって、位置決め・穿孔ユニット２０の原点ｙ０からの移動量（印刷版Ｐの押し込み量）は任意に変更することが可能である。このため、印刷版Ｐの主走査位置決めの状態は任意に変更することができる。なお、標準的な主走査位置決め状態にあるときの印刷版Ｐの基準端面ｚの位置を基準位置決め位置ｙ１とする。
【００５０】
位置決めユニット２２の位置決め板２７は、印刷版Ｐの基準端面ｚに当接可能な位置と当接不可能な位置との間で移動できる。
【００５１】
図４は、図１のＩＶ線要部断面である。図４を用いて位置決め・穿孔ユニット２０の詳細な構成を説明する。位置決めユニット２２は、取付ベース４０の凹溝に嵌着固定された支持部材２３によって取り付けられており、支持部材２３の水平方向に突設された軸支部材２３Ａには回動軸２４が水平に支持されている。該回動軸２４には揺動部材２５が枢着され、揺動部材２５の第１アーム２６の先端部には位置決め板２７が取り付けられている。また、揺動部材２５には第１アーム２６と垂直方向に第２アーム２８が延設されており、第２アーム２８は引張ばねにより後方に付勢されて、前記支持部材２３に取り付けられたソレノイド部材ＳＯＬの伸縮軸３０の先端に当接している。
【００５２】
従って、ソレノイド部材ＳＯＬが作動すると、伸縮軸３０がばねの引張力に抗して伸長し、第１アーム２６に取り付けられた位置決め板２７は回動軸２４を中心として下方に回動し、印刷版Ｐの基準端面ｚに対して当接可能な位置、すなわち図例のように垂下した状態になる（垂下状態）。そして、ソレノイド部材ＳＯＬが不作動になると、第２アーム２８は引張ばねにより後方に引っ張られ、位置決め板２７は印刷版Ｐと干渉しない上方位置（上昇状態）に退避する。このようなソレノイド部材ＳＯＬの働きにより、位置決め板２７は、印刷版Ｐの基準端面ｚに当接可能な垂下状態と当接不可能な上昇状態との間で、切り替え可能な構成となっている。
【００５３】
パンチユニット３３には挿入口３６が形成される。挿入口３６の高さはテーブル１２に位置決めされた印刷版Ｐの基準端面ｚが導入可能な高さとされている。パンチユニット３３には挿入口３６に対向するようにパンチおよびダイスが配設され、穿孔モータＭ３の回転運動をパンチの上下運動に変換するカム機構が設けられている。かかる構成により、穿孔モータＭ３が１回転すると、パンチはダイス側に下降後上昇し、この際、挿入口３６に挿入された印刷版Ｐにはパンチ孔が穿孔される。なお、パンチユニット３３は、例えば特開平８−２３７４４７号公報に開示されているような公知のものを適宜使用することができる。
【００５４】
図５（ａ）は、パンチユニット３３により印刷版Ｐに形成されたパンチ孔７０の形状を示した図である。図５（ａ）に示したように、パンチ孔７０は、印刷版Ｐを基準端面ｚ側から切り欠いたような形状となる。そして、後の印刷工程においては、このパンチ孔７０を版胴に形成されたピンと嵌合させ、印刷版Ｐの位置決めを行う。すなわち、このパンチ孔７０は、複数の単位画像を重ね合わす際の基準として使用される指標に相当し、パンチユニット３３はその指標を形成する指標形成手段に相当する。
【００５５】
なお、挿入口３６内部への印刷版Ｐの導入量が変更されても、パンチユニット３３のパンチはパンチ孔７０を形成することが可能である。そして、このように印刷版Ｐの導入量を変更することによって、パンチユニット３３と印刷版Ｐとの相対的位置関係を変更し、パンチ孔７０のふところ深さ（基準端面ｚからパンチ孔の頂点までの長さ）Ｄを調節することが可能である。
【００５６】
パンチ孔７０の形状は図５（ａ）に示したようなＵ字形になっており、先端付近７０ａが円弧状、両側部７０ｂが基準端面ｚに垂直な直線状になっている。このため、パンチ孔７０のふところ深さＤを変化させても、版胴に形成されたピンとの嵌合に支障をきたすことはない。このようにふところ深さの変更に対応するために、パンチ孔７０の少なくとも両側部７０ｂは印刷版Ｐの基準端面ｚと垂直な直線状となっていることが望ましい。パンチ孔７０の形状は、たとえば図５（ｂ）に示したようなコの字形であってもよい。
【００５７】
位置決め・穿孔ユニット２０は、印刷版Ｐの位置決めを行うときは位置決め板２７を印刷版Ｐの基準端面ｚに当接可能な位置とする。また、基準端面ｚをパンチユニット３３の挿入口３６に導くときには位置決め板２７を基準端面ｚに当接不可能な位置に移動させる。
【００５８】
また、位置決め・穿孔ユニット２０は、位置決め駆動手段４１を有する。位置決め駆動手段４１は、位置決めユニット２２やパンチユニット３３を、一体的に主走査方向へ進退運動させる手段である。位置決め駆動手段４１は、フレーム４２に立設された一対の回転支持部材４３により主走査方向に回転自在に架設された送りねじ（ボールねじ）４４と、該送りねじ４４と平行にフレーム４２に架設された一対の案内軸４５と、前記送りねじ４４にボールを介して係合する連結部材４６と、該連結部材４６および前記案内軸４５に摺動自在に挿通する摺動支持部材４７が付設された移動ベース４８と、前記送りねじ４４を回転駆動する送りモータ（パルスモータ）Ｍ２を備えている。前記送りねじ４４と連結部材４６とで移動ベース４８のボールねじ送り機構を構成しており、送りモータＭ２の回転は送りねじ４４に伝達され、送りねじ４４の正逆回転により、移動ベース４８は連結部材４６を介して主走査方向に進退自在に移動する。
【００５９】
前記した位置決め・穿孔ユニット２０の取付ベース４０は、位置決め駆動手段４１の移動ベース４８に対して位置決めピン５４によって固定的に取付けられている。
【００６０】
＜１−２．第１実施形態の第１の手法＞
続いて、上記構成の画像記録装置１を用いて画像を記録する手法について説明する。ここでは、１つのカラー画像を構成する複数の色版画像（Ｃ版画像Ｉｃ，Ｍ版画像Ｉｍ，Ｙ版画像Ｉｙ，Ｋ版画像Ｉｋ）を、複数の印刷版（Ｃ版Ｐｃ，Ｍ版Ｐｍ，Ｙ版Ｐｙ，Ｋ版Ｐｋ）に個別に記録する場合について説明する。
【００６１】
本実施形態の画像記録装置１は、２つの手法によって画像の記録を行うことができる。第１の手法は、印刷版Ｐのテーブル１２上での主走査位置決めは各印刷版とも一定とし、印刷版Ｐへの画像記録位置のみを印刷版毎に変更する手法である。第２の手法は、印刷版Ｐのテーブル１２上での主走査位置決めと画像記録位置の両方を、印刷版毎に変更する手法である。いずれの手法においても、複数の色版画像を、光学系５２の光軸やテーブル１２の基準位置決め位置ｙ１などを含む不動系に対して、それぞれ異なる位置に記録する。それぞれの手法について、以下に詳細に説明する。
【００６２】
図６は、第１の手法を実施したときの印刷版Ｐの基準端面ｚ近傍部分の拡大図である。図６（ａ）は、印刷版ＰｃにＣ版画像Ｉｃを記録した場合、図６（ｂ）は、印刷版ＰｍにＭ版画像Ｉｍを記録した場合である。前記したように、光学系５２に存在する傷等によって記録画像Ｉにすじ８０ｃ，８０ｍが入ることがある。
【００６３】
第１の手法では、印刷版Ｐｃ，Ｐｍの主走査方向の位置は一定（いずれも基準端面ｚの位置はｙ１）であるが、走査線Ｌの描画開始位置を印刷版Ｐｃと印刷版Ｐｍとで微少量αだけシフトさせるようにしている。したがって、印刷版Ｐｍにおいて画像Ｉｍが記録される位置は、印刷版Ｐｃにおいて画像Ｉｃが記録される位置よりも、微少量αだけ主走査方向にシフトした位置となる。
【００６４】
ここで、画像の記録位置は、レーザダイオードＬＤの駆動タイミングを制御することによりシフトすることは、既述したとおりである。すなわち、図２に示したように、色情報９５に応じた遅延量９６だけ画像信号９１を遅延させ、その画像信号９１に基づいて得られる駆動信号９２によりレーザダイオードＬＤを発振させる。
【００６５】
このように、印刷版Ｐｃと印刷版Ｐｍとで画像の記録位置をシフトさせるが、画像中に生じるすじは光学系５２に起因するものであるため、画像とともに位置がシフトすることはない。したがって、各色版画像に対して異なる位置に、すじが生じることとなる。すなわち、Ｃ版では記録画像Ｉｃの一端からｄ１だけ離れた位置にすじを生じさせ、Ｍ版では記録画像Ｉｍの一端から（ｄ１−α）だけ離れた位置にすじを生じさせる。図示は省略するが、Ｙ版では記録画像Ｉｙの一端から（ｄ１−２α）だけ離れた位置に、Ｋ版では記録画像Ｉｋの一端から（ｄ１−３α）だけ離れた位置にそれぞれすじを生じさせる。このようにすると、後工程において４色の記録画像Ｉｃ，Ｉｍ，Ｉｙ，Ｉｋを重ね合わせても、各記録画像におけるすじは重ならないので画像欠陥は重畳されない。
【００６６】
ところで、通常、印刷版Ｐ上の記録画像を同一の印刷用紙に重ねるには、印刷版Ｐの基準端面ｚに形成されたパンチ孔７０が使用される。印刷版Ｐはパンチ孔７０を利用して印刷機の版胴に装着される。複数の記録画像を高精度に重ね合わせるためには、記録画像とパンチ孔７０との位置関係を各印刷版で同一にする必要がある。
【００６７】
第１の手法では、記録画像のシフト量に応じてパンチ孔７０の形成位置を主走査方向にシフトさせ、パンチ孔７０のふところ深さを変化させる。すなわち、印刷版Ｐｍには、印刷版Ｐｃのパンチ孔７０よりも、微少量αだけ主走査方向にシフトした位置にパンチ孔７０を形成する。これにより、記録画像とパンチ孔７０の先端との位置関係が各印刷版で同一となり、記録画像の重ね合わせをずれなく実行することが可能となる。
【００６８】
図７は、第１の手法に従った画像記録を行う際のフローチャートである。図７のフローチャートに従って各工程を説明する。
【００６９】
まず、印刷版Ｐをテーブル１２に載置する（ステップＳ１１）。印刷版Ｐの載置は図示しない印刷版供給機構を用いてもよいし手動で行っても良い。印刷版Ｐは、基準端面ｚ側の一部分がテーブル１２から突出した状態で載置される。
【００７０】
位置決めユニット２２の位置決め板２７を印刷版Ｐの端面に当接可能な状態（垂下状態）にする（ステップＳ１２）。
【００７１】
位置決め駆動手段４１の送りねじ４４を駆動することで位置決め・穿孔ユニット２０を取付ベース４０ごとテーブル１２に向けて移動させる（ステップＳ１３）。なおこの時の移動量はいずれの版でも同一である。これにより印刷版Ｐの基準端面ｚが基準位置決め位置ｙ１まで移動する。
【００７２】
テーブル１２上の図示しない吸引溝を通して真空吸引を行うことにより、印刷版Ｐをテーブル１２に固定する（ステップＳ１４）。これにより印刷版Ｐの主走査位置決めが完了する。
【００７３】
位置決め板２７を印刷版Ｐの端面に当接不能な状態（上昇状態）にする（ステップＳ１５）。これにより印刷版Ｐの端面をパンチユニット３３の挿入口３６に導入することが可能になる。
【００７４】
記録画像の色版に応じた量だけ位置決め・穿孔ユニット２０をｙ方向に前進させる（ステップＳ１６）。位置決め・穿孔ユニット２０は、まず所定の標準位置まで移動させ、さらに印刷版Ｐｃの場合は０、印刷版Ｐｍの場合はα、印刷版Ｐｙの場合は２α、印刷版Ｐｋの場合は３αだけ追加的に移動させる。
【００７５】
パンチユニット３３により印刷版Ｐに穿孔を行う（ステップＳ１７）。パンチユニット３３内部への印刷版Ｐの挿入量は各版毎に異っている。したがって、ステップＳ１７で形成されるパンチ孔７０は、各版毎に異なるふところ寸法（基準端面ｚからパンチ孔７０頂点までの長さ）を有することになる。
【００７６】
位置決め・穿孔ユニット２０を原点ｙ０まで後退させる（ステップＳ１８）。
【００７７】
テーブル１２を副走査方向ｘに移動させながら、主走査ユニット５０によって光ビームを走査することにより印刷版Ｐに記録画像Ｉを形成する（ステップＳ１９）。記録画像Ｉは複数の走査線Ｌによって構成される。各主走査線Ｌの描画開始位置は、印刷版Ｐに記録される画像の色版に応じて主走査方向にシフトするように制御される。走査線Ｌのシフト量は、印刷版Ｐｃの場合は０、印刷版Ｐｍの場合はα、印刷版Ｐｙの場合は２α、印刷版Ｐｋの場合は３αとする。既述したように、各主走査線Ｌの描画開始位置は、例えば、原点センサ５３がレーザダイオードＬＤからの光ビームを検知してから、画像信号に基づくレーザダイオードＬＤ駆動信号の供給を開始するまでの時間間隔を各印刷版で異ならせることにより、各版毎に異なる位置とすることができる。
【００７８】
印刷版Ｐをテーブル１２から取り外す（ステップＳ２０）。
【００７９】
全ての色版の画像記録が完了したかどうか判断を行う（ステップＳ２１）。全ての色版の画像記録が完了していないときにはステップＳ１１に戻り次の色版の処理を開始する。
【００８０】
＜１−３．第１実施形態の第２の手法＞
次に、第２の手法に従った画像記録作業について説明する。この手法では、印刷版Ｐのテーブル１２における主走査位置決めの状態と、画像記録位置の両方を各版毎に変更しながら画像記録を行う。
【００８１】
図８は第２の手法を実施したときの印刷版Ｐの端面の拡大図である。図８（ａ）は、印刷版ＰｃにＣ版画像Ｉｃを記録した場合、図８（ｂ）は、印刷版ＰｍにＭ版画像Ｉｍを記録した場合である。前記したように、光学系５２に存在する傷等によって記録画像Ｉにすじ８０ｃ，８０ｍが入ることがある。
【００８２】
図８（ａ）と図８（ｂ）とを比較すれば分かるように、第２の手法では、印刷版Ｐｍは印刷版Ｐｃよりも主走査方向にαだけずらされた状態で主走査位置決めされる。すなわち、印刷版Ｐｃは基準端面ｚの位置をｙ１とするのに対し、印刷版Ｐｍは基準端面ｚの位置をｙ１＋αとする。
【００８３】
また、記録画像Ｉｍの位置も、記録画像Ｉｃの位置より主走査方向にαだけシフトさせる。画像の記録位置は、第１の手法と同じように、レーザダイオードＬＤの駆動タイミングを制御することによりシフトさせる。
【００８４】
このように、各印刷版の位置と、画像の記録位置とをともにシフトさせるが、画像中に生じるすじは、光学系５２に起因するものであるため、印刷版や画像とともに位置がシフトすることはない。したがって、各色版画像に対して異なる位置にすじが生じることとなる。すなわち、Ｃ版では記録画像Ｉｃの一端からｄ１だけ離れた位置にすじを生じさせ、Ｍ版では記録画像Ｉｍの一端から（ｄ１−α）だけ離れた位置にすじを生じさせる。図示は省略するが、Ｙ版では記録画像Ｉｙの一端から（ｄ１−２α）だけ離れた位置に、Ｋ版では記録画像Ｉｋの一端から（ｄ１−３α）だけ離れた位置にそれぞれすじを生じさせる。このようにすると、後工程において４色の記録画像Ｉｃ，Ｉｍ，Ｉｙ，Ｉｋを重ね合わせても、各記録画像におけるすじは重ならないので画像欠陥は重畳されない。
【００８５】
また、第２の手法では、印刷版の色によって、印刷版の主走査方向の位置と、画像の主走査方向の位置とをともに同じ量だけシフトさせる。このため、各印刷版に対する画像の記録位置は一定である。したがって、第１の手法のように印刷版ごとにパンチ孔７０のふところ深さを変化させる必要はない。
【００８６】
図９は第２の手法を実施する際のフローチャートである。図９のフローチャートに従って各工程を説明する。
【００８７】
まず、印刷版Ｐをテーブル１２に載置する（ステップＳ３１）。印刷版Ｐの載置は図示しない印刷版供給機構を用いてもよいし手動で行っても良い。印刷版Ｐは、基準端面ｚ側の一部分がテーブル１２から突出した状態で載置される。
【００８８】
位置決めユニット２２の位置決め板２７を印刷版Ｐの端面に当接可能な状態（垂下状態）にする（ステップＳ３２）。
【００８９】
位置決め駆動手段４１の送りねじ４４を駆動することで取付ベース４０ごと位置決め・穿孔ユニット２０をテーブル１２に向けて移動させる（ステップＳ３３）。位置決め・穿孔ユニット２０の移動により、位置決め板２７が印刷版Ｐを押し、それにより印刷版Ｐの位置決めがされる。印刷版Ｐは、まず基準端面ｚが基準位置決め位置ｙ１に到達するまで押し込まれ、さらに印刷版Ｐｃの場合は０、印刷版Ｐｍの場合はα、印刷版Ｐｙの場合は２α、印刷版Ｐｋの場合は３αだけ追加的に押し込まれる。これによって、たとえば図８（ｂ）に示すように、Ｍ版の印刷版ＰｍはＣ版の印刷版Ｐｃよりもユニット前進方向ｙにαだけずれた位置まで移動する。
【００９０】
テーブル１２上の図示しない吸引溝を通して真空吸引を行うことにより、印刷版Ｐをテーブル１２に固定する（ステップＳ３４）。これにより印刷版Ｐの主走査位置決めが完了する。
【００９１】
位置決め板２７を印刷版Ｐの端面に当接不能な状態（上昇状態）にする（ステップＳ３５）。これにより印刷版Ｐの端面をパンチユニット３３の挿入口３６に導入することが可能になる。
【００９２】
位置決め・穿孔ユニット２０を一定量移動させて、各パンチユニット２２の挿入口３６に印刷版Ｐの基準端面ｚを導入する（ステップＳ３６）。
【００９３】
パンチユニット３３により印刷版Ｐに穿孔を行う（ステップＳ３７）。既述したように、この実施形態では、パンチ孔７０のふところ深さ（基準端面ｚからパンチ孔７０の頂点までの長さ）はいずれの印刷版Ｐでも同一である。
【００９４】
位置決め・穿孔ユニット２０を原点ｙ０まで後退させる（ステップＳ３８）。
【００９５】
テーブル１２を副走査方向ｘに移動させながら、主走査ユニット５０によって光ビームを走査することにより印刷版Ｐに記録画像Ｉを形成する（ステップＳ３９）。記録画像Ｉは複数の走査線Ｌによって構成される。各主走査線Ｌの描画開始位置は、印刷版Ｐに記録される画像の色版に応じて主走査方向にシフトするように制御される。走査線Ｌのシフト量は、印刷版Ｐｃの場合は０、印刷版Ｐｍの場合はα、印刷版Ｐｙの場合は２α、印刷版Ｐｋの場合は３αとする。既述したように、各主走査線Ｌの描画開始位置は、例えば、原点センサ５３がレーザダイオードＬＤからの光ビームを検知してから、画像信号に基づくレーザダイオードＬＤ駆動信号の供給を開始するまでの時間間隔を各印刷版で異ならせることにより、各版毎に異なる位置とすることができる。
【００９６】
印刷版Ｐをテーブル１２から取り外す（ステップＳ４０）。
【００９７】
全ての色版の画像記録が完了したかどうか判断を行う（ステップＳ４１）。全ての色版の画像記録が完了していないときにはＳ３１に戻り次の色版の処理を開始する。
【００９８】
第２の手法においては、基準端面ｚに対する記録画像Ｉの位置が各版共通であるので印刷工程における位置決め作業が容易に行える。
【００９９】
第２の手法においてもすじは色版毎に異なる位置に形成される。すなわち、Ｃ版では記録画像Ｉｃの一端からｄ１だけ離れた位置にすじが生じ、Ｍ版では記録画像Ｉｍの一端から（ｄ１−α）だけ離れた位置にすじを生じる。図示は省略するが、Ｙ版では記録画像Ｉｙの一端から（ｄ１−２α）だけ離れた位置に、Ｋ版では記録画像Ｉｋの一端から（ｄ１−３α）だけ離れた位置にそれぞれすじが生じる。このようにすると、後工程において４色の記録画像Ｉｃ、Ｉｍ、Ｉｙ、Ｉｋを重ね合わせても、各記録画像におけるすじは重ならないので画像欠陥は重畳されない。
【０１００】
図１０は、上記第２の手法を実施したときの、Ｙ（イエロー）版Ｐｙ、Ｍ（マゼンタ）版Ｐｍ、Ｃ（シアン）版Ｐｃ、Ｋ（ブラック）版Ｐｋを１枚の印刷用紙Ｓに刷り重ねた場合の概念図である。
【０１０１】
画像記録装置１の結像光学系の傷によって、Ｙ版Ｐｙ、Ｍ版Ｐｍ、Ｃ版Ｐｃ、Ｋ版Ｐｋにすじ８０ｙ、８０ｍ、８０ｃ、８０ｋが発生している。しかし、４色の印刷版Ｐｙ、Ｐｍ、Ｐｃ、Ｐｋのすじ８０ｙ、８０ｍ、８０ｃ、８０ｋは印刷用紙Ｓの異なる位置に転写される。このため、すじ８０ｙ、８０ｍ、８０ｃ、８０ｋが目立つことがない。
【０１０２】
＜２．第２実施形態＞
＜２−１．第２実施形態の装置構成＞
続いて、本発明の第２実施形態について説明する。図１１は、本発明の第２実施形態に係る画像記録装置１０１を示している。
【０１０３】
画像記録装置１０１も、上記の画像記録装置１と同じく、光ビームによって印刷版Ｐ上に網点画像ＩＡを記録する装置である。画像記録装置１０１において、テーブル１２、位置決め・穿孔ユニット２０、位置決め駆動手段４１、およびテーブル駆動手段１３の構成は、上記の画像記録装置１と同様である。このため、これらの各部については重複説明を省略する。
【０１０４】
画像記録装置１０１は、２つの主走査ユニット１５０，２５０を備えている点において、上記の画像記録装置１と異なる。一方の主走査ユニット１５０は、レーザダイオードＬＤ１と、ポリゴンミラー１５１と、光学系１５２と、原点センサ１５３とを有し、印刷版ＰのイメージエリアＡ１の記録を担当する。また、他方の主走査ユニット２５０は、レーザダイオードＬＤ２と、ポリゴンミラー２５１と、光学系２５２と、原点センサ２５３とを有し、印刷版ＰのイメージエリアＡ２の記録を担当する。レーザダイオードＬＤ１，ＬＤ２、ポリゴンミラー１５１，２５１、光学系１５２，２５２、および原点センサ１５３，２５３については、第１実施形態のレーザダイオードＬＤ、ポリゴンミラー５１、光学系５２、および原点センサ５３と同様の構成である。ただし、本実施形態のポリゴンミラー１５１，２５１は、第１実施形態のポリゴンミラー５１と逆向きに回転する。
【０１０５】
イメージエリアＡ１とイメージエリアＡ２とは、部分的に重複する。そして、画像記録装置１０１は、主走査ユニット１５０により記録する第１の画像Ｉ１と、主走査ユニット２５０により記録する第２の画像Ｉ２とを隣接させ、全体として１つの連続した画像ＩＡを形成することができる。すなわち、この画像記録装置１０１は、全体として、上記の画像記録装置１よりも大型の画像ＩＡを記録することができる。
【０１０６】
図１２は、レーザダイオードＬＤ１，ＬＤ２の駆動制御系の構成を示したブロック図である。画像記録装置１０１に与えられた画像信号１８１は、まず、画像信号二分割回路１６１へ供給される。画像信号二分割回路１６１では、画像信号１８１を上下に２分割し、第１画像信号１８２と第２画像信号１８３とを生成する。画像信号二分割回路１６１は、色情報１８８に基づいて、画像信号１８１の分割位置を変更することができる。
【０１０７】
第１同期信号発生回路１６２は、原点センサ１５３から受信したスタートパルス１８４に基づいてタイミング信号１８５を発生させる。一方、第２同期信号発生回路１６３は、原点センサ２５３から受信したスタートパルス１８６に基づいてタイミング信号１８７を発生させる。また、遅延量演算部１６４は、色情報１８８に基づいて、第１画像信号１８２に対する第１の遅延量１８９と、第２画像信号１８３に対する第２の遅延量１９０とを出力する。
【０１０８】
第１画像信号遅延回路１６５は、画像信号二分割回路１６１から第１画像信号１８２を受信し、第１同期信号発生回路１６２からタイミング信号１８５を受信し、遅延量演算部１６４から第１の遅延量１８９を受信する。そして、第１画像信号１８２を、タイミング信号１８５の受信時から第１の遅延量１８９の分だけ遅延させて、第１ＬＤ駆動回路１６７へ供給する。
【０１０９】
第１ＬＤ駆動回路１６７は、受信した第１画像信号１８２を駆動信号１９１に変換し、レーザダイオードＬＤ１へ供給する。レーザダイオードＬＤ１は、その駆動信号１９１によって、ＯＮ／ＯＦＦ制御される。
【０１１０】
一方、第２画像信号遅延回路１６６は、画像信号二分割回路１６１から第２画像信号１８３を受信し、第２同期信号発生回路１６３からタイミング信号１８７を受信し、遅延量演算部１６４から第２の遅延量１９０を受信する。そして、第２画像信号１８３を、タイミング信号１８７の受信時から第２の遅延量１９０の分だけ遅延させて、第２ＬＤ駆動回路１６８へ供給する。
【０１１１】
第２ＬＤ駆動回路１６８は、受信した第２画像信号１８３を駆動信号１９２に変換し、レーザダイオードＬＤ２へ供給する。レーザダイオードＬＤ２は、その駆動信号１９２によって、ＯＮ／ＯＦＦ制御される。
【０１１２】
図１１に戻り、この画像記録装置１０１においても、光学系１５２または２５２の一部に欠陥箇所が存在した場合には、第１の画像Ｉ１または第２の画像Ｉ２の一部に薄いすじ３０１が発生する。また、図１１に示したように、第１および第２の画像Ｉ１，Ｉ２の境界部分にも、薄いすじ３０２が発生する場合がある。すじ３０２は、（ａ）第１の画像Ｉ１と第２の画像Ｉ２に濃度差がある場合や、（ｂ）第１の画像Ｉ１と第２の画像Ｉ２に主走査方向のずれがある場合や、（ｃ）第１の画像Ｉ１と第２の画像Ｉ２に副走査方向のずれがある場合や、（ｄ）光学系１５２または２５２の収差により第１の画像Ｉ１または第２の画像Ｉ２の端部に位置ずれがある場合や、（ｅ）主走査ユニット１５０，２５０のビームスポットの形状が異なる場合や、（ｆ）主走査ユニット１５０，２５０の光量に差がある場合などに、第１の画像Ｉ１と第２の画像Ｉ２のつなぎ目が正確に整合しないために発生するものである。
【０１１３】
このようなすじ３０１，３０２は、重ね刷りの際に重畳されると、視覚的に目立つすじとなって好ましくない。このため、この画像記録装置１０１では、以下に説明する第１、第２、または第３の手法によって、第１の画像Ｉ１および第２の画像Ｉ２を記録する。
【０１１４】
＜２−２．第２実施形態の第１の手法＞
図１３は、第１の手法における、画像信号１８１の分割位置、第１画像信号１８２の記録開始位置、第２画像信号１８３の記録開始位置、画像ＩＡの記録位置、およびパンチ孔１７０の深さ、を一覧で示した図である。
【０１１５】
図１３に示したように、第１の手法では、Ｃ，Ｍ，Ｙ，Ｋの印刷版ごとに画像信号１８１の分割位置をαずつ変更する。分割後の第１画像信号１８２は、Ｃ，Ｍ，Ｙ，Ｋの順で主走査方向に短くなり、第２画像信号１８３はＣ，Ｍ，Ｙ，Ｋの順で主走査方向に長くなる。これは、上記の画像信号二分割回路１６１が、色情報１８８に基づいて、画像信号１８１の分割位置を変更することにより、実現する。
【０１１６】
第１画像信号１８２の記録開始タイミングは、各印刷版とも同一とする。すなわち、第１の画像Ｉ１の記録開始位置は、各印刷版とも同一とする。これは、上記の遅延量演算部１６４が、色情報１８８に関わらず第１の遅延量１８９として「０」を出力することによって実現できる。一方、第２画像信号１８３の記録開始タイミングは、Ｃ，Ｍ，Ｙ，Ｋの順で微小時間ずつ早くする。これにより、第２の画像Ｉ２の記録開始位置を、Ｃ，Ｍ，Ｙ，Ｋの順でαずつ主走査方向にずらす。これは、上記の遅延量演算部１６４が、色情報１８８に応じた第２の遅延量１９０を出力することによって実現する。
【０１１７】
このようにして記録された４つの画像ＩＡは、Ｃ，Ｍ，Ｙ，Ｋの各印刷版において、主走査方向にαずつずれて記録される。このため、光学系の欠陥に起因するすじ３０１は、各画像ＩＡに対して異なる位置に発生する。また、このようにして記録された４つの画像ＩＡにおいて、第１の画像Ｉ１と第２の画像Ｉ２の比率は、それぞれ異なる比率となる。このため、第１の画像Ｉ１と第２の画像Ｉ２の境界に発生するすじ３０２も、各画像ＩＡに対して異なる位置に発生する。したがって、すじ３０１，３０２は、いずれも重ね刷りの際に重畳されることはなく、結果画像において強調されることはない。
【０１１８】
なお、４つの画像ＩＡをずれないように重ね刷りするために、各印刷版Ｐに形成するパンチ孔１７０は、Ｃ，Ｍ，Ｙ，Ｋの順でαずつ深くする。また、パンチ孔１７０の深さを変える代わりに、記録時の印刷版Ｐの位置をＣ，Ｍ，Ｙ，Ｋの順でαずつ変えてもよい。その他の工程については、第１実施形態と同様である。
【０１１９】
＜２−３．第２実施形態の第２の手法＞
図１４は、第２の手法における、画像信号１８１の分割位置、第１画像信号１８２の記録開始位置、第２画像信号１８３の記録開始位置、画像ＩＡの記録位置、およびパンチ孔１７０の深さ、を一覧で示した図である。
【０１２０】
図１４に示したように、第２の手法では、Ｃ，Ｍ，Ｙ，Ｋの印刷版において、画像信号１８１の分割位置は一定とする。すなわち、上記の画像信号二分割回路１６１において、色情報１８８に関わらず画像信号１８１を一定の比率で分割する。
【０１２１】
第１画像信号１８２の記録開始タイミングは、Ｃ，Ｍ，Ｙ，Ｋの順で微小時間ずつ早くする。これにより、第１の画像Ｉ１の記録開始位置を、Ｃ，Ｍ，Ｙ，Ｋの順でαずつ主走査方向にずらす。これは、上記の遅延量演算部１６４が、色情報１８８に応じた第１の遅延量１８９を出力することによって実現する。また、第２画像信号１８３の記録開始タイミングも、Ｃ，Ｍ，Ｙ，Ｋの順で微小時間ずつ早くする。これにより、第２の画像Ｉ２の記録開始位置を、Ｃ，Ｍ，Ｙ，Ｋの順でαずつ主走査方向にずらす。これは、上記の遅延量演算部１６４が、色情報１８８に応じた第２の遅延量１９０を出力することによって実現する。
【０１２２】
このようにして記録された４つの画像ＩＡは、Ｃ，Ｍ，Ｙ，Ｋの各印刷版Ｐにおいて、主走査方向にαずつずれて記録される。このため、光学系の欠陥に起因するすじ３０１は、各画像ＩＡに対して異なる位置に発生する。したがって、すじ３０１は、重ね刷りの際に重畳されることはなく、結果画像において強調されることはない。
【０１２３】
なお、４つの画像ＩＡをずれないように重ね刷りするために、各印刷版Ｐに形成するパンチ孔１７０は、Ｃ，Ｍ，Ｙ，Ｋの順でαずつ深くする。また、パンチ孔１７０の深さを変える代わりに、記録時の印刷版Ｐの位置をＣ，Ｍ，Ｙ，Ｋの順でαずつ変えてもよい。その他の工程については、第１実施形態と同様である。
【０１２４】
＜２−４．第２実施形態の第３の手法＞
図１５は、第３の手法における、画像信号１８１の分割位置、第１画像信号１８２の記録開始位置、第２画像信号１８３の記録開始位置、画像ＩＡの記録位置、およびパンチ孔１７０の深さ、を一覧で示した図である。
【０１２５】
図１５に示したように、第３の手法では、Ｃ，Ｍ，Ｙ，Ｋの印刷版ごとに画像信号１８１の分割位置をαずつ変更する。分割後の第１画像信号１８２は、Ｃ，Ｍ，Ｙ，Ｋの順で主走査方向に長くなり、第２画像信号１８３はＣ，Ｍ，Ｙ，Ｋの順で主走査方向に短くなる。これは、上記の画像信号二分割回路１６１が、色情報１８８に基づいて、画像信号１８１の分割位置を変更することにより、実現する。
【０１２６】
第１画像信号１８２の記録開始タイミングは、Ｃ，Ｍ，Ｙ，Ｋの順で微小時間ずつ早くする。これにより、第１の画像Ｉ１の記録開始位置を、Ｃ，Ｍ，Ｙ，Ｋの順でαずつ主走査方向にずらす。これは、上記の遅延量演算部１６４が、色情報１８８に応じた第２の遅延量１９０を出力することによって実現する。一方、第２画像信号１８３の記録開始タイミングは、各印刷版とも同一とする。すなわち、第２の画像Ｉ２の記録開始位置は、各印刷版とも同一とする。これは、上記の遅延量演算部１６４が、色情報１８８に関わらず第２の遅延量１８９として「０」を出力することによって実現できる。
【０１２７】
このようにして記録された４つの画像ＩＡにおいて、第１の画像Ｉ１と第２の画像Ｉ２の比率は、それぞれ異なる比率となる。このため、第１の画像Ｉ１と第２の画像Ｉ２の境界に発生するすじ３０２も、各画像ＩＡに対して異なる位置に発生する。したがって、すじ３０２は、重ね刷りの際に重畳されることはなく、結果画像において強調されることはない。
【０１２８】
なお、この第３の手法においては、各印刷版Ｐに形成するパンチ孔１７０は一定の深さとする。その他の工程については、第１実施形態と同様である。
【０１２９】
＜３．その他＞
以上、本発明の第１実施形態および第２実施形態について説明したが、本発明は上記の例に限定されるものではない。
【０１３０】
たとえば、上記の第１実施形態では、複数の色版画像をそれぞれ異なる位置に記録するようにしたが、必ずしも全ての色版画像の記録位置を相違させる必要はない。複数の色版画像のうち少なくとも１つの色版画像を異なる位置に記録するようにすれば、印刷用紙におけるすじの重畳を、少なくとも部分的に回避することができる。
【０１３１】
また、上記の第２実施形態では、複数の色版画像をそれぞれ異なる位置で分割するようにしたが、必ずしも全ての色版画像の分割位置を相違させる必要はない。複数の色版画像のうち少なくとも１つの色版画像を異なる位置に記録するようにすれば、印刷用紙におけるすじ３０２の重畳を、少なくとも部分的に回避することができる。
【０１３２】
また、テーブル１２上に固定的に保持された印刷版Ｐ上に画像を記録するタイプのみならず、ローラ等の搬送機構上で印刷版Ｐを搬送しつつ画像を記録するタイプの装置であっても、本発明を適用することができる。すなわち、このような装置であっても、同じように画像の記録位置を相違させたり、画像の分割位置を相違させたりすれば、印刷用紙にすじが重畳されることを回避することができる。
【０１３３】
また、印刷版Ｐに形成される指標としては、主走査ユニット５０からのレーザ光により形成されるレジスターマーク（いわゆるトンボ）であってもよい。また、レジスターマークは主走査ユニット５０とは別個の描画手段（たとえばインクジェット等）により形成するようにしてもよい。
【０１３４】
その他、画像記録装置の細部の構成については、特許請求の範囲に記載した発明の範囲内において種々の設計変更を行うことができる。
【図面の簡単な説明】
【０１３５】
【図１】第１実施形態の画像記録装置を示した図である。
【図２】第１実施形態におけるレーザダイオードの駆動制御系の構成を示したブロック図である。
【図３】画像信号の遅延量に差をつけた様子を示したタイミング図である。
【図４】位置決め・穿孔ユニット２０の断面図である。
【図５】パンチ孔の形状を示した図である。
【図６】図２の画像記録装置によって画像記録と穿孔とが行われた印刷版の端部の拡大図である。
【図７】図２の画像記録装置における穿孔作業と画像記録作業を説明するフローチャートである。
【図８】図２の画像記録装置によって穿孔と画像記録とが行われた印刷版の端部の拡大図である。
【図９】図２の画像記録装置における穿孔作業と画像記録作業を説明するフローチャートである。
【図１０】図２の画像記録装置によって作成された印刷版によって印刷を行う場合の概念図である。
【図１１】第２実施形態の画像記録装置を示した図である。
【図１２】第２実施形態におけるレーザダイオードの駆動制御系の構成を示したブロック図である。
【図１３】第２実施形態の第１の手法における画像の記録位置等を示した図である。
【図１４】第２実施形態の第２の手法における画像の記録位置等を示した図である。
【図１５】第２実施形態の第３の手法における画像の記録位置等を示した図である。
【図１６】従来の画像記録装置の構成を示した図である。
【図１７】従来の画像記録装置によって作成された印刷版によって印刷を行う場合の概念図である。
【符号の説明】
【０１３６】
１    画像記録装置
１２    テーブル
１３    テーブル駆動手段
２０    位置決め・穿孔ユニット
２２    位置決めユニット
３３    パンチユニット
４１    位置決め駆動手段
５０    主走査ユニット
５１    ポリゴンミラー
５２    光学系
５３    原点センサ
１０１    画像記録装置
１５０，２５０    主走査ユニット
１５１，２５１    ポリゴンミラー
１５２，２５２    光学系
１５３，２５３    原点センサ
１６１    画像信号二分割回路
ＬＤ    レーザダイオード
Ｐ    印刷版
【図１】
2006276805.tif 000003
【図２】
2006276805.tif 000004
【図３】
2006276805.tif 000005
【図４】
2006276805.tif 000006
【図５】
2006276805.tif 000007
【図６】
2006276805.tif 000008
【図７】
2006276805.tif 000009
【図８】
2006276805.tif 000010
【図９】
2006276805.tif 000011
【図１０】
2006276805.tif 000012
【図１１】
2006276805.tif 000013
【図１２】
2006276805.tif 000014
【図１３】
2006276805.tif 000015
【図１４】
2006276805.tif 000016
【図１５】
2006276805.tif 000017
【図１６】
2006276805.tif 000018
【図１７】
2006276805.tif 000019